(57)【要約】【課題】ドアのラッチ爪およびラッチ爪が摺動する部品等の耐久性を向上できる調理器を提供する。【解決手段】加熱室３と、この加熱室３の開口２を開閉するドア４と、このドア４に揺動自在に支持されたラッチ爪５と、上記本体に配設され、ドア４の閉時に前記ラッチ爪５が係合するラッチフック１２と、このラッチフック１２に係合する方向に、前記ラッチ爪５を付勢するバネ９とからなる調理器において、前記ラッチ爪５の前記ラッチフック１２との摺動面５ａに摺動する方向と平行に溝５ｂを形成し、前記溝５ｂ内に潤滑剤を保持していることを特徴とする。【選択図】              図４
2004251525.tif 000002
【特許請求の範囲】
【請求項１】
加熱室と、この加熱室の開口を開閉するドアと、このドアに揺動自在に支持されたラッチ爪と、上記本体に配設され、ドアの閉時に前記ラッチ爪が係合するラッチフックと、このラッチフックに係合する方向に、前記ラッチ爪を付勢するバネとからなる調理器において、前記ラッチ爪の前記ラッチフックとの摺動面に摺動する方向と平行に溝を形成し、前記溝内に潤滑剤を保持していることを特徴とする調理器。
【請求項２】
外装と、この外装内に形成され、前面に開口を有し食品を収納する加熱室と、この加熱室の前面開口を開閉するドアと、前記加熱室内にマイクロ波を供給するマグネトロンと、前記加熱室内の下方に配置され食品を載せる棚と、この棚と前記加熱室の底壁との間に設けられマグネトロンの発振するマイクロ波を拡散する回転アンテナと、この回転アンテナの回転動作を制御する回転制御手段と、前記回転アンテナの軸に設けたカムとこのカムにより開閉されるスイッチとからなり前記回転アンテナの位置を検出する回転アンテナ位置検出手段とを備えた調理器において、前記スイッチには前記カムにより作動されるアクチュエーターレバーが設けられていることを特徴とする調理器。
【請求項３】
前面に開口を有し食品を収納する加熱室と、プリント基板を取付けるコントロールケースと、前記加熱室の前面開口を形成すると共に前記コントロールケースの取付け部を形成しているキャビティ前面板と、前記加熱室の前面開口を開閉するドアとからなる調理器において、前記プリント基板の裏側を前記プリント基板に蒸気が付着するのを防止する付着防止材で覆い、この付着防止材の上端を前記コントロールケースと前記キャビティ前面板との間よりはみ出させていることを特徴とする調理器。
【発明の詳細な説明】
【０００１】
【発明の属する技術分野】
本発明は、調理器に関するものである。
【０００２】
【従来の技術】
従来の調理器で、ドアに設けたラッチ爪がドアの開閉により本体側の部品と係合するものがある。（例えば、特許文献１参照。）
従来の調理器で、マイクロ波を攪拌する回転アンテナを設けているものがある。（例えば、特許文献２参照。）
従来の調理器で、ヒータとマグネトロンとを備えたもので、プリント基板を使用しているものがある。（例えば、特許文献３参照。）
（問題点１）
ドアのラッチ爪は、ドアの開閉により本体の部品と摺動するため、摺動面は平らな状態で、摺動性向上のため摺動面に潤滑油を塗布しているが、ドアの開閉が繰り返されることにより摺動面に塗布している潤滑剤が摺動面から排除され易く、ラッチ爪およびラッチ爪の摺動する相手部品が磨耗し易くなり、ラッチ爪により作動されるスイッチに加わる力が大きくなり、スイッチの耐久性が悪くなる。
（問題点２）
加熱室内にまんべんなくマイクロ波を供給するため、食品を載置する棚の下に設けている回転アンテナを回転させている。また、食品の位置に応じて適切に加熱するために、回転アンテナを回転させて特定の位置で停止している。前記回転アンテナの特定の位置とは、マイクロ波が効率よく食品を加熱できる位置である。回転アンテナの基準位置を検出して、その検出した基準位置より回転アンテナを特定の角度だけ回転させ、停止せている。回転アンテナの基準位置を検出するため、回転アンテナの軸にカムを設け、カムによりスイッチのプランジャーを直接押す構造にしている。従って、回転アンテナの回転にプランジャーを押し力が抵抗力となり、回転アンテナの回転動作が不安定になる。そのため、加熱むらが生じる。
（問題点３）
オーブン調理中に、操作部の裏側に設けているプリント基板へ加熱室内から出ている蒸気がプリント基板に付着しないように、プリント基板の裏側に仕切り板を設けていた。更に、外部からの水がプリント基板に浸入するのを防止するため、テープを操作部の裏側上部に貼り付けている。しかし、仕切り板を設けることとテープを貼り付けることは、別々の作業となるため、作業工数がかかる。更に、別々の部品を使用するためコストがかかっている。
【０００３】
【特許文献１】
実公平７−０３７０４７号公報（第２頁、第２図）
【特許文献２】
特開平０６−０３６８７４号公報（第２頁、第１図）
【特許文献３】
特開平０８−３０６４８０号公報（第２頁、第３図）
【０００４】
【発明が解決しようとする課題】
本発明は、ドアのラッチ爪およびラッチ爪が摺動する部品等の耐久性を向上できる調理器を提供する。
【０００５】
本発明は、回転アンテナの位置検出にカムとスイッチを使用するものにおいて、回転アンテナの回転動作が安定する調理器を提供する。
【０００６】
本発明は、プリント基板への蒸気付着防止および操作部への水の浸入防止が作業工数およびコストをかけないできる調理器を提供する。
【０００７】
【課題を解決するための手段および発明の効果】
本発明に係る第一の調理器は、加熱室と、この加熱室の開口を開閉するドアと、このドアに揺動自在に支持されたラッチ爪と、上記本体に配設され、ドアの閉時に前記ラッチ爪が係合するラッチフックと、このラッチフックに係合する方向に、前記ラッチ爪を付勢するバネとからなる調理器において、前記ラッチ爪の前記ラッチフックとの摺動面に摺動する方向と平行に溝を形成し、前記溝内に潤滑剤を保持していることを特徴とする。
【０００８】
従って、前記ラッチ爪の前記ラッチフックとの摺動面に摺動する方向と平行に溝を形成し、前記溝内に潤滑剤を保持しているので、潤滑剤が摺動面から排除されない。よって、前記ラッチ爪およびラッチフックが磨耗しにくくなり、前記ドアを閉じる時に前記ラッチ爪により作動されるドアスイッチに加わる力が大きくなることがないので、前記ドアスイッチの耐久性が良くなる。
【０００９】
本発明に係る第二の調理器は、外装と、この外装内に形成され、前面に開口を有し食品を収納する加熱室と、この加熱室の前面開口を開閉するドアと、前記加熱室内にマイクロ波を供給するマグネトロンと、前記加熱室内の下方に配置され食品を載せる棚と、この棚と前記加熱室の底壁との間に設けられマグネトロンの発振するマイクロ波を拡散する回転アンテナと、この回転アンテナの回転動作を制御する回転制御手段と、前記回転アンテナの軸に設けたカムとこのカムにより開閉されるスイッチとからなり前記回転アンテナの位置を検出する回転アンテナ位置検出手段とを備えた調理器において、前記スイッチには前記カムにより作動されるアクチュエーターレバーが設けられていることを特徴とする。
【００１０】
従って、前記スイッチには前記カムにより作動されるアクチュエーターレバーが設けられているので、前記回転アンテナが回転している時に、前記カムは周期的にアクチュエーターレバーを介して前記スイッチのプランジヤーを押す。よって、前記カムが前記スイッチのプランジヤーを押す力は、前記カムが前記スイッチのプランジヤーを直接作動する時よりも小さくなるので、前記回転アンテナの回転時、前記回転アンテナの回転への抵抗力が小さくなり、前記回転アンテナの回転動作を安定することができるので、食品の加熱むらが生じることがない。
【００１１】
本発明に係る第三の調理器は、前面に開口を有し食品を収納する加熱室と、プリント基板を取付けるコントロールケースと、前記加熱室の前面開口を形成すると共に前記コントロールケースの取付け部を形成しているキャビティ前面板と、前記加熱室の前面開口を開閉するドアとからなる調理器において、前記プリント基板の裏側を前記プリント基板に蒸気が付着するのを防止する付着防止材で覆い、この付着防止材の上端を前記コントロールケースと前記キャビティ前面板との間よりはみ出させていることを特徴とする。
【００１２】
従って、前記プリント基板の裏側を前記プリント基板に蒸気が付着するのを防止する付着防止材で覆い、この付着防止材の上端を前記コントロールケースと前記キャビティ前面板との間よりはみ出させているので、作業工数がかかることがなく、コストもかからない。
【００１３】
【発明の実施の形態】
本発明の実施形態の調理器を、図面を参照して説明する。図１は第一の発明の調理器のドアを開けた時の斜視図図、図２は第一の発明の調理器のドアの要部断面図、図３は第一の発明の調理器ドアが閉じる直前の要部断面図、図４は第一の発明の調理器のドアのラッチ爪の拡大斜視図、図５は図４のＡ−Ｂ線断面図、図６は第二の発明の調理器の正面断面図、図７は第二の発明の調理器の回転アンテナの駆動装置の断面図、図８は図７を下側より見た図、図９は第二の発明の調理器のブロック回路図、図１０は第三の発明の調理器の外装を取り除いて後側から見た斜視図図、図１１は第三の発明の調理器の要部側面図である。
【００１４】
図１について説明する。調理器は、正面を除いて外装１で覆われている。被加熱物を収納する加熱室３の前面開口２を開閉するドア４が設けられている。前記ドア４には、ラッチ爪５が設けられている。前記ドア４を閉じると、キャビティ前面板６に形成された穴６ａを介して、ラッチ爪５が調理器本体内に入り、そこに配置されたドアスイッチ１３（図３）を作動する。また、前記ドア４の右側には操作部７が設けられている。
【００１５】
次に図２のドア４の要部断面図について説明する。揺動自在に支持された一対のラッチ爪５と連結棒８は一体成形されており、前記連結棒８の端部にはバネ９の固定側端部９ｂの引掛け部９ｄを引掛ける係止部８ａが形成されている。また、前記バネ９の固定端側端部９ａの引掛け部９ｃを引掛ける係止部１１ａがドア４に設けた固定金具１１に形成されている。なお、前記バネ９は固定端側端部９ａから固定側端部９ｂまで螺旋形状となっている。前記バネ９は、前記ドア４の閉成時に、ラッチフック１２（図３）に前記ラッチ爪５を係止保持するために、前記ラッチ爪５を下方向に付勢する。また、バネ９等を覆うドアカバー１０が設けられており、ドアカバー１０には、前記バネ９下部の固定側端部９ａに当接するリブ１０ａが一体成形されている。前記リブ１０ａにより、前記ドア４を閉じた時に生じる前記バネ９の自由振動を抑制し、不快音の発生を防いでいる。
【００１６】
図３について説明する。ドア４のラッチ爪５は、キャビティ前面板６に形成された穴６ａを介して調理器本体内に入り、ラッチ爪５の摺動面５ａは、キャビティ前面板６に形成された穴６ａの下部に設けられているラッチフック１２のコーナー部１２ａに一時的に係止される。ドア７を閉じると、前記ラッチ爪５の摺動面５ａがラッチ爪５と一体成形されている連結棒８の下部に掛けられているバネ９により下方向に付勢されて、前記摺動面５ａのコーナーが前記ラッチフック１２のコーナー部１２ａに係止するとともに、ドアスイッチ１３を作動する。ラッチ爪５の摺動面５ａには、溝５ｂが形成されている。
【００１７】
次に図４について説明する。ラッチ爪５には、ラッチ爪５の摺動方向と平行に摺動面５ａに複数の溝５ｂが形成され、この溝５ｂ内には潤滑剤が入れられている（図５）。従って、ドア４の開閉が繰り返されてラッチ爪５の摺動面５ａがラッチフック１２ののコーナー部１２ａに繰り返し摺動しても、潤滑剤が摺動面５ａより排除されされず、前記溝５ｂ内に潤滑剤が保持されるので、前記ラッチ爪５およびラッチフック１２は磨耗しにくくなる。よって、前記ドア４を閉じる時に前記ラッチ爪５により作動される前記ドアスイッチ１３に加わる力が大きくなることがないので、前記ドアスイッチ１３の耐久性が良くなる。
【００１８】
図６について説明する。加熱室２１の左側上端部には赤外線センサー２２が設けられている。赤外線センサー２２には、赤外線量を検出するための検出孔２２ａが設けられ、食品の温度検出する。加熱室２１の外部には、マイクロ波を供給するマグネトロン２５が設けられている。前期マイクロ波は導波管２６を通り加熱室２１の底壁２４に形成されているマイクロ波給電口２７より加熱室２１に導入される。棚２９と底壁３０との間にはマグネトロン２５の発振するマイクロ波を拡散する回転アンテナ２８が設けられている。回転アンテナ２８は軸３０に固定され、この軸３０は、駆動装置２９に回転自在に設けられている。
【００１９】
次に図７および図８で、駆動装置２９について説明する。駆動装置２９の上側にはカバー３８、下側にはカバー３９が設けられている。一定回転数で回転する駆動モータ３３の回転軸３３ａには、駆動ギア３４が固定されている。前記軸３０には、カム３１が一体形成されたギア３２が固定されている。ギア３２は前記駆動ギア３４と噛み合わされており、駆動モータ３３が回転することにより、前記駆動ギア３４を介してギア３２は回転しカム３１が回転する。前記カム３１の近傍にはスイッチ３５が設けられている。スイッチ３５には、アクチュエーターレバー３６が設けられ、前記カム３１が回転しアクチュエーターレバー３６を作動すると、アクチュエーターレバー３６がスイッチ３５のプランジャー３７を可動しスイッチ３５が周期的に動作する。よって、アクチュエーターレバー３６の支点からプランジャー３７までの距離（Ｌ１）とアクチュエーターレバー３６の支点からカム３１によって押される部分までの距離（Ｌ２）の比率分だけプランジャー３７の押す力（Ｐ１）を減少させ、回転アンテナ２８の回転動作に加わる力（Ｐ２）をより少なくすることができる。従って、回転アンテナ２８の回転動作を安定できるので、食品の加熱むらが生じることがない。
【００２０】
次に図９について説明する。調理器は、動作を全体的に制御する制御回路８０を備えている。制御回路８０は、マイクロコンピュターを含む。ヒーュズ８２は、調理器に異常な電流が流れ込むことを防ぐ。制御回路８０と交流電源８１との間には、トランンス８３が接続されている。また、トランンス８３と制御回路８０との間には、整流回路８４、定電圧低電圧回路８５が制御回路８０と直列に接続されている。また、制御回路８０には、回転アンテナ通電回路８６、被加熱物位置検出回路８７、および、マグネトロン通電回路８８が接続されており、これらの回路の動作は、制御回路８０により制御されている。さらに、制御回路８０には、操作パネル（図示せず）、赤外線センサー２２、および回転アンテナ位置検出回路８９が接続されている。操作パネルに入力された情報、および赤外線センサー２２の検出出力は、制御回路８０に送られる。また、加熱室２１における赤外線センサー２２の視野の位置も、制御回路８０に送られる。被加熱物位置検出回路８７は、赤外線センサー２２の検出出力と赤外線センサー２２の視野の位置から、加熱室２１内の食品の位置を検出することができる。より詳しくは、赤外線センサー２２の検出出力に基づいて決定された温度がピークを示したときの、赤外線センサー２２の視野の位置が加熱室２１内の棚２３上の食品の載置位置であると決定される。回転アンテナ通電回路８６は、駆動モータ３３への通電状態を切換えるスイッチ８６ａの開閉を切換えことができる。また、制御回路８０は、駆動モータ３３の駆動状況を回転アンテナ位置検出回路８９を介して、検出することができる。より詳しく説明すると、回転アンテナ位置検出回路８９には、カム３１により作動されるスイッチ３５が接続されている。スイッチ３５は、通常は閉状態である。駆動モータ３３は、カム３１を介してスイッチ３５の開閉状態を切換えることができる。駆動モータ３３は、所定の周期で回転するが、回転する際、周期ごとに、カム３１を介してスイッチ３５を１回ずつ開状態とする。このスイッチ３５が開状態のときの回転アンテナ２８の位置が回転アンテナ２８の基準位置である。回転アンテナ位置検出回路８９は、スイッチ３５の開閉状態を検出できる。なお、回転アンテナ２８は、駆動モータ３３が駆動することにより、回転する。そして、制御回路８０はスイッチ３５がカム３１により開状態にされてから経過した時間に基づいて、回転アンテナ２８がどのような回転角度にあるか検出することができる。また、制御回路８０はスイッチ３５が開状態にされてから駆動モータ３３への通電を停止するまでの時間を制御することにより、回転アンテナ２８を特定の位置（赤外線センサー２２で検出した食品の載置位置）で停止することができる。従って、回転アンテナ２８の回転動作を制御する回転制御手段は、駆動モータ３３と、駆動ギア３４と、ギア３２と、回転アンテナ通電回路８６と、スイッチ８６ａと、制御回路８０とで構成されている。また、マグネトロン２５は、マグネトロン２５に高電圧を供給するために備えられている高圧トランス９０、スイッチ８８ａ、ドアの開閉により作動されるドアスイッチ９１、ヒューズ８２を介して交流電源８１と接続されている。
【００２１】
次に図１０について説明する。被加熱物を収納する加熱室前面に形成された開口（図示せず）を開閉するドア１００が設けられている。キャビティ前面板１０１は前記開口を形成している。また、前記キャビティ前面板１０１にはコントロールケース１０２の取付け部が形成されている。コントロールケース１０２の表側には操作部（図示せず）が設けられている。加熱室の側壁１０３には、複数の小孔１０４が設けられ、排気口１０５を形成している。コントロールケース１０２の裏側には、プリント基板１０６が取付けられ、このプリント基板１０６の裏側を付着防止剤１０７で覆っている。なお、付着防止剤１０７としてパッキンを使用する。また、前記付着防止剤１０７の上端１０７ａは、コントロールケース１０２とキャビティ前面板１０１との間よりはみだしている。従って、オーブン調理中に加熱室内に発生した蒸気が前記排気口１０５から出ても、前記付着防止剤１０７で、前記プリント基板１０６に蒸気が付着するのを防止でき、更に外部からの水が前記プリント基板１０６に浸入するのを防止できるので、運転時の誤動作等の不具合が生じるのを防ぐことができる。更に、作業工数がかかることがなく、コストもかからない。図１１は、要部側面図であるが説明は省略する。
【図面の簡単な説明】
【図１】第一の発明の調理器のドアを開けた時の斜視図である。
【図２】同調理器のドアの要部断面図である。
【図３】同調理器のドアが閉じる直前の要部断面図である。
【図４】同調理器のドアのラッチ爪の拡大斜視図である。
【図５】図４のＡ−Ｂ線断面図である。
【図６】第二の発明の調理器の正面断面図である。
【図７】同調理器の回転アンテナの駆動装置の断面図である。
【図８】図７を下側方向から見た図である。
【図９】第二の発明の調理器のブロック回路図である。
【図１０】第三の発明の調理器の外装を取り除いて後側から見た斜視図である。
【図１１】同調理器の要部側面図である。
【符号の説明】
２        開口
３        加熱室
４        ドア
５        ラッチ爪
５ａ      摺動面
５ｂ      溝
１２      ラッチフック
１３      ドアスイッチ
２１      加熱室
２２      赤外線センサー
２３      棚
２４      底壁
２５      マグネトロン
２８      回転アンテナ
２９      駆動装置
３０      軸
３１      カム
３２      ギア
３３      駆動モータ
３４      駆動ギア
３５      スイッチ
３６      アクチェーターレバー
３７      プランジャー
８０      制御回路
８６      回転アンテナ通電回路
８６ａ    スイッチ
８７      被加熱物位置検出回路
８９      回転アンテナ位置検出回路
１０１    キャビティ前面板
１０２    コントロールケース
１０６    プリント基板
１０７    付着防止剤
１０７ａ  上端
【図１】
2004251525.tif 000003
【図２】
2004251525.tif 000004
【図３】
2004251525.tif 000005
【図４】
2004251525.tif 000006
【図５】
2004251525.tif 000007
【図６】
2004251525.tif 000008
【図７】
2004251525.tif 000009
【図８】
2004251525.tif 000010
【図９】
2004251525.tif 000011
【図１０】
2004251525.tif 000012
【図１１】
2004251525.tif 000013